(57)【要約】【課題】システムを構築する際のコストを低減することを可能とする電源・信号合成アダプタを提供する。【解決手段】画像出力装置３０からのＡＶ信号を電力線からの電源電流に重畳してプロジェクタ１０に出力するための電源・信号合成アダプタであって、電源プラグ１０２と、画像出力装置３０からのＡＶ信号が入力されるＡＶ入力端子１０４と、電源プラグ１０２からの電源電流にＡＶ入力端子１０４に入力されたＡＶ信号を重畳するＡＶ信号重畳部１０６と、ＡＶ信号重畳部１０６によってＡＶ信号が重畳された電源電流を出力する第１の電源出力端子１０８とを備える電源・信号合成アダプタ１００。【選択図】図３
2008193552.tif 000002
【特許請求の範囲】
【請求項１】
画像出力装置からのＡＶ信号を電力線からの電源電流に重畳してプロジェクタに出力するための電源・信号合成アダプタであって、
電源プラグと、
前記画像出力装置からのＡＶ信号が入力されるＡＶ入力端子と、
前記電源プラグからの電源電流に前記ＡＶ入力端子に入力されたＡＶ信号を重畳するＡＶ信号重畳部と、
前記ＡＶ信号重畳部によってＡＶ信号が重畳された電源電流を出力する第１の電源出力端子とを備えることを特徴とする電源・信号合成アダプタ。
【請求項２】
請求項１に記載の電源・信号合成アダプタにおいて、
前記画像出力装置から出力されるＡＶ信号の有無を検出するＡＶ信号検出部と、
前記ＡＶ信号検出部がＡＶ信号を検出したときには、前記第１の電源出力端子に対して前記ＡＶ信号重畳部によってＡＶ信号が重畳された電源電流を出力し、前記ＡＶ信号検出部がＡＶ信号を検出しないときには、前記第１の電源出力端子に対する前記電源プラグからの電源電流の出力を停止する機能を有する制御部とをさらに備えることを特徴とする電源・信号合成アダプタ。
【請求項３】
請求項２に記載の電源・信号合成アダプタにおいて、
前記電源プラグからの電源電流を出力する第２の電源出力端子をさらに備えることを特徴とする電源・信号合成アダプタ。
【請求項４】
請求項３に記載の電源・信号合成アダプタにおいて、
前記制御部は、
前記ＡＶ信号検出部がＡＶ信号を検出したときには、前記第２の電源出力端子に対して前記電源プラグからの電源電流を出力し、前記ＡＶ信号検出部がＡＶ信号を検出しないときには、前記第２の電源出力端子に対する前記電源プラグからの電源電流の出力を停止する機能をさらに有することを特徴とする電源・信号合成アダプタ。
【請求項５】
請求項４に記載の電源・信号合成アダプタにおいて、
前記制御部は、ＡＶ信号の入力が途絶したときには、当該途絶した時間から所定時間の間は前記第２の電源出力端子に対して前記電源プラグからの電源電流を出力し、前記所定時間経過後には前記第２の電源出力端子に対する前記電源プラグからの電源電流の出力を停止する機能をさらに有することを特徴とする電源・信号合成アダプタ。
【請求項６】
請求項３〜５のいずれかに記載の電源・信号合成アダプタにおいて、
前記第２の電源出力端子を複数備えることを特徴とする電源・信号合成アダプタ。
【請求項７】
請求項１〜６のいずれかに記載の電源・信号合成アダプタとともに使用可能なプロジェクタであって、
前記電源・信号合成アダプタからのＡＶ信号が重畳された電源電流からＡＶ信号を分離するＡＶ信号分離部を備えることを特徴とするプロジェクタ。
【請求項８】
請求項１〜６のいずれかに記載の電源・信号合成アダプタとともに使用可能な電源・信号分離アダプタであって、
前記電源・信号合成アダプタからのＡＶ信号が重畳された電源電流が入力される電源プラグと、
前記電源・信号合成アダプタからのＡＶ信号が重畳された電源電流からＡＶ信号を分離するＡＶ信号分離部と、
前記ＡＶ信号分離部によって分離されたＡＶ信号を出力するＡＶ出力端子と、
前記ＡＶ信号分離部によって分離された電源電流を出力する電源出力端子とを備えることを特徴とする電源・信号分離アダプタ。
【請求項９】
請求項２〜６のいずれかに記載の電源・信号合成アダプタとともに使用可能な電動スクリーンであって、
前記電源・信号合成アダプタが前記プロジェクタに電源電流を供給しているときには投写可能状態となり、前記電源・信号合成アダプタが前記プロジェクタに電源電流を供給していないときには収納状態となるように構成されてなることを特徴とする電動スクリーン。
【請求項１０】
画像出力装置からのＡＶ信号を検出してプロジェクタへの電源電流を制御する電源制御アダプタであって、
電源プラグと、
前記画像出力装置からのＡＶ信号が入力されるＡＶ入力端子と、
前記画像出力装置から出力されるＡＶ信号の有無を検出するＡＶ信号検出部と、
電源出力端子と、
前記ＡＶ信号検出部がＡＶ信号を検出したときには、前記電源出力端子に対して前記電源プラグからの電源電流を出力し、前記ＡＶ信号検出部がＡＶ信号を検出しないときには、前記電源出力端子に対する前記電源プラグからの電源電流の出力を停止する機能を有する制御部とを備えることを特徴とする電源制御アダプタ。
【発明の詳細な説明】
【技術分野】
【０００１】
本発明は、電源・信号合成アダプタ、プロジェクタ、電源・信号分離アダプタ、電動スクリーン及び電源制御アダプタに関する。
【背景技術】
【０００２】
従来、オフィスでの会議や家庭内での映画の視聴などの様々な場面において、プロジェクタが利用されている。
【０００３】
このようなプロジェクタに映像ソースを供給する画像出力装置（例えば、ＨＤＤレコーダーなどのＡＶ機器）は、プロジェクタから離れた位置（例えば、スクリーンや壁の傍など）に配置されることが多い（例えば、特許文献１参照。）。なぜなら、プロジェクタの近くに画像出力装置を配置することにより、画像出力装置の取り扱いが面倒になるからである。すなわち、天井に吊り下げるタイプのプロジェクタ（以下、天吊りタイプのプロジェクタという。）の近くに画像出力装置を配置した場合（つまり、画像出力装置をプロジェクタとともに天井に吊り下げた場合）、画像出力装置から記録メディア（ＤＶＤなど）を容易に出し入れすることができなくなるなど、画像出力装置の取り扱い作業が煩雑になる。また、テーブル上などに載置するタイプのプロジェクタ（以下、据え置きタイプのプロジェクタという。）は、プロジェクタを使用した後は邪魔にならない場所に片付けるのが通常であるが、据え置きタイプのプロジェクタの近くに画像出力装置を配置した場合には、プロジェクタを使用するたびに画像出力装置も毎回片付けなければならず面倒である。
【０００４】
【特許文献１】特開２００４−７８１５０号公報
【発明の開示】
【発明が解決しようとする課題】
【０００５】
ところで、従来は、画像出力装置とプロジェクタとをＡＶケーブルで接続することにより、画像出力装置から出力されるＡＶ信号（画像信号、音声信号、制御信号など。）をプロジェクタに伝送していた。
【０００６】
しかしながら、ＡＶケーブルの単位長さ当たりの価格は電源ケーブルのそれに比べると高額であるため、画像出力装置とプロジェクタとをＡＶケーブルで接続した場合には、画像出力装置とプロジェクタとの距離が長くなれば長くなるほどＡＶケーブルの長さも長くなってしまう。その結果、プロジェクタを用いて画像出力装置からのＡＶ信号を画像光として投写面（例えばスクリーンなど）に投写するように構成されたプロジェクションシステム（以下、単にシステムということもある。）を構築する際のコストが高くなってしまう。
【０００７】
そこで、本発明は、このような問題を解決するためになされたもので、システムを構築する際のコストを低減することを可能とする電源・信号合成アダプタを提供することを目的とする。また、このような電源・信号合成アダプタとともに使用してシステムを構築する際のコストを低減することが可能なプロジェクタ、電源・信号分離アダプタ及び電動スクリーンを提供することを目的とする。さらにまた、システムを構築した際の使い勝手を向上することが可能な電源制御アダプタをも提供することを目的とする。
【課題を解決するための手段】
【０００８】
本発明の電源・信号合成アダプタは、画像出力装置からのＡＶ信号を電力線からの電源電流に重畳してプロジェクタに出力するための電源・信号合成アダプタであって、電源プラグと、前記画像出力装置からのＡＶ信号が入力されるＡＶ入力端子と、前記電源プラグからの電源電流に前記ＡＶ入力端子に入力されたＡＶ信号を重畳するＡＶ信号重畳部と、前記ＡＶ信号重畳部によってＡＶ信号が重畳された電源電流を出力する電源出力端子とを備えることを特徴とする。
【０００９】
本発明の電源・信号合成アダプタを用いてシステムを構築するにあたっては、例えば、画像出力装置の電源プラグを、画像出力装置の傍にあるコンセントに差し込み、電源・信号合成アダプタの電源プラグを、画像出力装置の電源プラグが差し込まれたコンセントか、または画像出力装置の傍にある他のコンセントに差し込み、電源・信号合成アダプタのＡＶ入力端子に、画像出力装置のＡＶケーブルを接続する。これにより、画像出力装置と電源・信号合成アダプタとがＡＶケーブルを介して接続されることとなる。
一方、電源・信号合成アダプタの電源出力端子に、プロジェクタの電源ケーブルとは別の電源ケーブル（以下、他の電源ケーブルという。）の電源プラグを接続し、当該他の電源ケーブルをプロジェクタに接続することにより、プロジェクタと電源・信号合成アダプタとが他の電源ケーブルを介して接続されることとなる（後述する図１参照。）。なお、そのような他の電源ケーブルを用いずに、プロジェクタの電源ケーブルを延長させて電源・信号合成アダプタの電源出力端子に接続してもよい。
このようにしてシステムを構築することにより、電源・信号合成アダプタを介して画像出力装置とプロジェクタとを接続することができる。
【００１０】
本発明の電源・信号合成アダプタによれば、電源・信号合成アダプタを画像出力装置の傍に配置することによってＡＶケーブルの長さを比較的短くすることが可能となる。また、電源・信号合成アダプタとプロジェクタとはＡＶケーブルではなく電源ケーブルで接続されているため、画像出力装置とプロジェクタとの距離が長くなったとしても、画像出力装置とプロジェクタとを繋ぐ電源ケーブルの長さが長くなるだけで、画像出力装置と電源・信号合成アダプタとを繋ぐＡＶケーブルの長さが長くなることはない。このため、システムを構築する際のコストを低減することが可能となる。
【００１１】
なお、本発明の電源・信号合成アダプタによれば、プロジェクタの近くに画像出力装置を配置しなくてもよいため、上述の画像出力装置の取り扱いが面倒になるという問題が発生することもない。
【００１２】
本発明の電源・信号合成アダプタにおいては、前記画像出力装置から出力されるＡＶ信号の有無を検出するＡＶ信号検出部と、前記ＡＶ信号検出部がＡＶ信号を検出したときには、前記第１の電源出力端子に対して前記ＡＶ信号重畳部によってＡＶ信号が重畳された電源電流を出力し、前記ＡＶ信号検出部がＡＶ信号を検出しないときには、前記第１の電源出力端子に対する前記電源プラグからの電源電流の出力を停止する機能を有する制御部とをさらに備えることが好ましい。
【００１３】
ところで、従来は、画像出力装置及びプロジェクタの電源のＯＮ／ＯＦＦ操作をそれぞれ別々のリモコン（画像出力装置用のリモコン及びプロジェクタ用のリモコン）で行っていた。このため、２つのリモコンを使い分けなければならず、使い勝手がよくないという問題がある。
【００１４】
これに対し、本発明の電源・信号合成アダプタを用いてシステムを構築した場合、ＡＶ信号検出部がＡＶ信号を検出したか否かによって、第１の電源出力端子に対してＡＶ信号が重畳された電源電流を出力したり当該出力を停止したりするため、画像出力装置用のリモコンで画像出力装置の電源をＯＮ／ＯＦＦすることに連動して、プロジェクタへの電源電流の制御を行うことが可能となる。すなわち、画像出力装置及びプロジェクタの電源のＯＮ／ＯＦＦ操作を１つのリモコンで行うことができ、使い勝手を向上することが可能となる。
【００１５】
本発明の電源・信号合成アダプタにおいては、前記電源プラグからの電源電流を出力する第２の電源出力端子をさらに備えることが好ましい。
【００１６】
このように構成することにより、第２の電源出力端子に接続された機器に対しても電源電流を出力することが可能となる。
【００１７】
本発明の電源・信号合成アダプタにおいては、前記制御部は、前記ＡＶ信号検出部がＡＶ信号を検出したときには、前記第２の電源出力端子に対して前記電源プラグからの電源電流を出力し、前記ＡＶ信号検出部がＡＶ信号を検出しないときには、前記第２の電源出力端子に対する前記電源プラグからの電源電流の出力を停止する機能をさらに有することが好ましい。
【００１８】
このように構成することにより、ＡＶ信号検出部がＡＶ信号を検出したか否かによって、第２の電源出力端子に対して電源電流を出力したり当該出力を停止したりするため、画像出力装置用のリモコンで画像出力装置の電源をＯＮ／ＯＦＦすることに連動して、第２の電源出力端子に接続された機器への電源電流の制御を行うことが可能となる。すなわち、画像出力装置及び当該機器の電源のＯＮ／ＯＦＦ操作を１つのリモコンで行うことができ、使い勝手を向上することが可能となる。
【００１９】
本発明の電源・信号合成アダプタにおいては、前記制御部は、ＡＶ信号の入力が途絶したときには、当該途絶した時間から所定時間の間は前記第２の電源出力端子に対して前記電源プラグからの電源電流を出力し、前記所定時間経過後には前記第２の電源出力端子に対する前記電源プラグからの電源電流の出力を停止する機能をさらに有することが好ましい。
【００２０】
このように構成することにより、ＡＶ信号の入力が途絶してから所定時間の間に限り、第２の電源出力端子に対して電源電流を出力することが可能となるため、第２の電源出力端子に接続された機器に当該所定時間の間だけ電源電流を供給することが可能となる。
【００２１】
本発明の電源・信号合成アダプタにおいては、前記第２の電源出力端子を複数備えることが好ましい。
【００２２】
このように構成することにより、第２の電源出力端子に接続された複数の機器に対して電源電流を出力することが可能となる。
【００２３】
本発明のプロジェクタは、本発明の電源・信号合成アダプタとともに使用可能なプロジェクタであって、前記電源・信号合成アダプタからのＡＶ信号が重畳された電源電流からＡＶ信号を分離するＡＶ信号分離部を備えることを特徴とする。
【００２４】
上述した本発明の電源・信号合成アダプタを使用することにより、プロジェクタに対してはＡＶ信号が重畳された電源電流が供給されるが、本発明のプロジェクタによれば、ＡＶ信号分離部を備えているため、そのようなＡＶ信号が重畳された電源電流からＡＶ信号を分離することができ、画像出力装置からのＡＶ信号を画像光として投写面に投写することが可能となる。
【００２５】
本発明の電源・信号分離アダプタは、本発明の電源・信号合成アダプタとともに使用可能な電源・信号分離アダプタであって、前記電源・信号合成アダプタからのＡＶ信号が重畳された電源電流が入力される電源プラグと、前記電源・信号合成アダプタからのＡＶ信号が重畳された電源電流からＡＶ信号を分離するＡＶ信号分離部と、前記ＡＶ信号分離部によって分離されたＡＶ信号を出力するＡＶ出力端子と、前記ＡＶ信号分離部によって分離された電源電流を出力する電源出力端子とを備えることを特徴とする。
【００２６】
上述した本発明の電源・信号合成アダプタを使用することにより、プロジェクタに対してはＡＶ信号が重畳された電源電流が供給されるが、本発明の電源・信号分離アダプタによれば、ＡＶ信号分離部を備えているため、そのようなＡＶ信号が重畳された電源電流からＡＶ信号を分離することが可能となる。このため、プロジェクタとしてＡＶ信号分離部を備えていないタイプのプロジェクタを用いた場合であっても、画像出力装置からのＡＶ信号を画像光として投写面に投写することが可能となる。
【００２７】
本発明の電動スクリーンは、本発明の電源・信号合成アダプタとともに使用可能な電動スクリーンであって、前記電源・信号合成アダプタが前記プロジェクタに電源電流を供給しているときには投写可能状態となり、前記電源・信号合成アダプタが前記プロジェクタに電源電流を供給していないときには収納状態となるように構成されてなることを特徴とする。
【００２８】
上述した本発明の電源・信号合成アダプタを使用することにより、画像出力装置用のリモコンで画像出力装置の電源をＯＮ／ＯＦＦすることに連動して、プロジェクタへの電源電流の制御を行うことが可能となるが、本発明の電動スクリーンによれば、電源・信号合成アダプタがプロジェクタに電源電流を供給しているか否かによって、電動スクリーンの状態を変えるように構成されているため、画像出力装置用のリモコンで画像出力装置の電源をＯＮ／ＯＦＦすることに連動して、プロジェクタへの電源電流の制御を行うだけでなく、電動スクリーンの状態も変えることが可能となり、使い勝手をさらに向上することが可能となる。
【００２９】
本発明の電源制御アダプタは、画像出力装置からのＡＶ信号を検出してプロジェクタへの電源電流を制御する電源制御アダプタであって、電源プラグと、前記画像出力装置からのＡＶ信号が入力されるＡＶ入力端子と、前記画像出力装置から出力されるＡＶ信号の有無を検出するＡＶ信号検出部と、電源出力端子と、前記ＡＶ信号検出部がＡＶ信号を検出したときには、前記電源出力端子に対して前記電源プラグからの電源電流を出力し、前記ＡＶ信号検出部がＡＶ信号を検出しないときには、前記電源出力端子に対する前記電源プラグからの電源電流の出力を停止する機能を有する制御部とを備えることを特徴とする。
【００３０】
本発明の電源制御アダプタを用いてシステムを構築するにあたっては、例えば、画像出力装置の電源プラグを、画像出力装置の傍にあるコンセントに差し込み、電源制御アダプタの電源プラグを、画像出力装置の電源プラグが差し込まれたコンセントか、または画像出力装置の傍にある他のコンセントに差し込み、電源制御アダプタのＡＶ入力端子に、画像出力装置のＡＶケーブルを接続する。これにより、画像出力装置と電源制御アダプタとがＡＶケーブルを介して接続されることとなる。
一方、電源制御アダプタの電源出力端子に、プロジェクタの電源ケーブルとは別の電源ケーブル（以下、他の電源ケーブルという。）の電源プラグを接続し、当該他の電源ケーブルをプロジェクタに接続することにより、プロジェクタと電源制御アダプタとが他の電源ケーブルを介して接続されることとなる。なお、そのような他の電源ケーブルを用いずに、プロジェクタの電源ケーブルを延長させて電源制御アダプタの電源出力端子に接続してもよい（後述する図１２参照。）。
なお、本発明の電源制御アダプタを用いてシステムを構築する場合、電源制御アダプタからプロジェクタに対してＡＶ信号は出力されないため、画像出力装置とプロジェクタとをＡＶケーブルで接続する必要がある。
【００３１】
本発明の電源制御アダプタを用いてシステムを構築した場合、ＡＶ信号検出部がＡＶ信号を検出したか否かによって、電源出力端子に対して電源電流を出力したり当該出力を停止したりするため、画像出力装置用のリモコンで画像出力装置の電源をＯＮ／ＯＦＦすることに連動して、プロジェクタへの電源電流の制御を行うことが可能となる。すなわち、画像出力装置及びプロジェクタの電源のＯＮ／ＯＦＦ操作を１つのリモコンで行うことができ、使い勝手を向上することが可能となる。
【発明を実施するための最良の形態】
【００３２】
以下、本発明の電源・信号合成アダプタ、プロジェクタ、電源・信号分離アダプタ及び電動スクリーンについて、図に示す実施の形態に基づいて説明する。
【００３３】
［実施形態１］
実施形態１は、本発明の電源・信号合成アダプタ、電源・信号分離アダプタ及び電動スクリーンを備えるプロジェクションシステムを説明するための実施形態である。
【００３４】
図１は、電動スクリーン５０が投写可能状態である場合の、実施形態１に係るプロジェクションシステム１の概念図である。なお、図１においては、電動スクリーン５０におけるスクリーン駆動装置５４の図示を省略している。
【００３５】
図２は、実施形態１に係る電源・信号合成アダプタ１００を説明するために示す斜視図である。図２（ａ）は電源・信号合成アダプタ１００の斜視図であり、図２（ｂ）は図２（ａ）とは異なる角度から見たときの電源・信号合成アダプタ１００の斜視図である。図３は、実施形態１に係る電源・信号合成アダプタ１００を説明するために示すブロック図である。
【００３６】
図４は、実施形態１に係る電源・信号分離アダプタ１２０を説明するために示す斜視図である。図４（ａ）は電源・信号分離アダプタ１２０の斜視図であり、図４（ｂ）は図４（ａ）とは異なる角度から見たときの電源・信号分離アダプタ１２０の斜視図である。図５は、実施形態１に係る電源・信号分離アダプタ１２０を説明するために示すブロック図である。
【００３７】
図６は、電動スクリーン５０が収納状態である場合の、実施形態１に係るプロジェクションシステム１の概念図である。なお、図６においては、電動スクリーン５０におけるスクリーン駆動装置５４及び受信部６０の図示を省略している。
【００３８】
実施形態１に係るプロジェクションシステム１は、プロジェクタ１０を用いて画像出力装置３０からのＡＶ信号を画像光として電動スクリーン５０に投写するように構成されたプロジェクションシステムであって、図１に示すように、プロジェクタ１０と、画像出力装置３０と、電動スクリーン５０と、電源電流にＡＶ信号を重畳して出力する電源・信号合成アダプタ１００と、ＡＶ信号が重畳された電源電流からＡＶ信号を分離する電源・信号分離アダプタ１２０とを備える。
【００３９】
プロジェクタ１０は、ここでは図示による説明は省略するが、光源ランプを有する照明装置と、照明装置からの光を画像情報に応じて変調する電気光学変調装置と、電気光学変調装置によって変調された光を投写する投写光学系とを備える、天吊りタイプのプロジェクタである。プロジェクタ１０には、プロジェクタ１０に対して電源電流が供給されたときに電動スクリーン５０に対してその旨の信号を送信する送信部１２が配設されている。
【００４０】
光源ランプとしては、例えば、メタルハライドランプ、高圧水銀ランプ、超高圧水銀ランプ等を用いることができる。なお、光源ランプに代えて、ＬＥＤなどの固体光源を用いてもよい。
【００４１】
電気光学変調装置としては、照明装置からの光を画像情報に応じて液晶及び偏光板によって光変調することにより、画像を表す画像光を投写光学系へと射出する機能を有する液晶装置や、照明装置からの光を画像情報に応じて各画素に対応するマイクロミラーで反射することにより、画像を表す画像光を投写光学系へと射出する機能を有する反射方向制御型光変調装置（例えば、ＤＭＤ（デジタルマイクロミラーデバイス）（ＴＩ社の商標））を用いることができる。
【００４２】
プロジェクタ１０のインタフェース部には、電源ケーブル１４及びＡＶケーブル１８が接続されている。電源ケーブル１４の電源プラグ１６及びＡＶケーブル１８のＡＶ入力端子２０は、電源・信号分離アダプタ１２０にそれぞれ接続されている。
【００４３】
画像出力装置３０は、プロジェクタ１０にＡＶ信号（画像信号、音声信号、制御信号など。）を出力するものであり、例えば、ＨＤＤレコーダー、ＤＶＤ再生装置などのＡＶ機器である。画像出力装置３０は、電動スクリーン５０の傍の壁際に、すなわち、プロジェクタ１０から離れた位置に配置されている。これにより、画像出力装置３０の取り扱いが面倒になる（例えば、画像出力装置３０から記録メディア（ＤＶＤなど）を容易に出し入れすることができなくなる。）こともない。
【００４４】
画像出力装置３０のインタフェース部には、電源ケーブル３２及びＡＶケーブル３６が接続されている。電源ケーブル３２の電源プラグ３４は、画像出力装置３０の傍の壁に配設されたコンセントＡの差し込み口に差し込まれている。ＡＶケーブル３６のＡＶ出力端子３８は、電源・信号合成アダプタ１００に接続されている。
【００４５】
電動スクリーン５０は、プロジェクタ１０からの画像光が投写されるスクリーン面５２と、スクリーン面５２の繰り出し・巻き取りを行うスクリーン駆動装置５４（図示せず。）と、電力線からの電源電流をスクリーン駆動装置５４に供給するための電源ケーブル５６及び電源プラグ５８と、プロジェクタ１０の送信部１２から送信される信号を受信する受信部６０とを備える。電源プラグ５８は、電動スクリーン５０の傍の壁に配設されたコンセントＢの差し込み口に差し込まれている。
【００４６】
電源・信号合成アダプタ１００は、画像出力装置３０からのＡＶ信号を電力線からの電源電流に重畳してプロジェクタ１０に出力するための装置であり、図２及び図３に示すように、電源プラグ１０２と、画像出力装置３０からのＡＶ信号が入力されるＡＶ入力端子１０４と、電源プラグ１０２からの電源電流にＡＶ入力端子１０４に入力されたＡＶ信号を重畳するＡＶ信号重畳部１０６と、ＡＶ信号重畳部１０６によってＡＶ信号が重畳された電源電流を出力する第１の電源出力端子１０８と、画像出力装置３０から出力されるＡＶ信号の有無を検出するＡＶ信号検出部１１０と、制御部１１２とを備える。
【００４７】
制御部１１２は、ＡＶ信号検出部１１０がＡＶ信号を検出したときには、第１の電源出力端子１０８に対してＡＶ信号重畳部１０６によってＡＶ信号が重畳された電源電流を出力し、ＡＶ信号検出部１１０がＡＶ信号を検出しないときには、第１の電源出力端子１０８に対する電源プラグ１０２からの電源電流の出力を停止する機能を有する。
【００４８】
電源・信号分離アダプタ１２０は、図４及び図５に示すように、電源・信号合成アダプタ１００からのＡＶ信号が重畳された電源電流が入力される電源プラグ１２２と、当該ＡＶ信号が重畳された電源電流からＡＶ信号を分離するＡＶ信号分離部１２４と、ＡＶ信号分離部１２４によって分離されたＡＶ信号を出力するＡＶ出力端子１２６と、ＡＶ信号分離部１２４によって分離された電源電流を出力する電源出力端子１２８とを備える。
【００４９】
上記の電源・信号合成アダプタ１００及び電源・信号分離アダプタ１２０を用いてプロジェクションシステム１を構築するにあたっては、以下に示すようにして各装置を接続する。
【００５０】
まず、図１に示すように、画像出力装置３０の電源プラグ３４を、画像出力装置３０の傍にあるコンセントＡに差し込み、電源・信号合成アダプタ１００の電源プラグ１０２（図３参照。）を同じくコンセントＡに差し込む。また、電源・信号合成アダプタ１００のＡＶ入力端子１０４（図３参照。）に、画像出力装置３０のＡＶケーブル３６（ＡＶ出力端子３８）を接続する。これにより、画像出力装置３０と電源・信号合成アダプタ１００とがＡＶケーブル３６を介して接続されることとなる。
【００５１】
次に、電源・信号合成アダプタ１００の電源出力端子１０８（図３参照。）に、プロジェクタ１０の電源ケーブル１４とは別の電源ケーブル４０の電源プラグ４２を接続し、電源ケーブル４０の電源出力端子４４と電源・信号分離アダプタ１２０の電源プラグ１２２（図５参照。）とを接続する。これにより、電源・信号合成アダプタ１００と電源・信号分離アダプタ１２０とが電源ケーブル４０を介して接続されることとなる。
【００５２】
そして、電源・信号分離アダプタ１２０のＡＶ出力端子１２６（図５参照。）に、プロジェクタ１０のＡＶケーブル１８（ＡＶ入力端子２０）を接続するとともに、電源・信号分離アダプタ１２０の電源出力端子１２８（図５参照。）に、プロジェクタ１０の電源プラグ１６を接続する。これにより、プロジェクタ１０と電源・信号分離アダプタ１２０とがＡＶケーブル１８及び電源ケーブル１４を介して接続されることとなる。
【００５３】
このようにしてプロジェクションシステム１を構築することにより、電源・信号合成アダプタ１００及び電源・信号分離アダプタ１２０を介して画像出力装置３０とプロジェクタ１０とを接続することができる。
【００５４】
画像出力装置用のリモコン７０で画像出力装置３０の電源をＯＮにすると（図１参照。）、画像出力装置３０からＡＶ信号が出力される。画像出力装置３０から出力されたＡＶ信号は、電源・信号合成アダプタ１００におけるＡＶ信号重畳部１０６で電源電流に重畳され、ＡＶ信号が重畳された電源電流として第１の電源出力端子１０８から出力される。電源・信号合成アダプタ１００から出力された電源電流（ＡＶ信号が重畳された電源電流）は、電源ケーブル４０を通り、電源・信号分離アダプタ１２０に入力される。電源・信号分離アダプタ１２０に入力された電源電流（ＡＶ信号が重畳された電源電流）は、ＡＶ信号分離部１２４でＡＶ信号と電源電流とに分離され、それぞれプロジェクタ１０に向けて出力される。
【００５５】
電源・信号分離アダプタ１２０から出力された電源電流がプロジェクタ１０の電源部（図示せず。）に供給されることにより、プロジェクタ１０の電源がＯＮとなる。また、電源・信号分離アダプタ１２０から出力されたＡＶ信号は、プロジェクタ１０の画像処理部（図示せず。）で画像情報に変換される。
【００５６】
一方、画像出力装置用のリモコン７０で画像出力装置３０の電源をＯＦＦにすると（図６参照。）、画像出力装置３０からのＡＶ信号の出力が停止される。電源・信号合成アダプタ１００のＡＶ信号検出部１１０において画像出力装置３０からのＡＶ信号の出力が無いことを確認すると、制御部１１２は、電源プラグ１０２からの電源電流の出力を停止する。これにより、プロジェクタ１０に対して、電源・信号合成アダプタ１００からの電源電流の出力が停止する。
【００５７】
このように、画像出力装置用のリモコン７０で画像出力装置３０の電源をＯＮ／ＯＦＦすることに連動して、プロジェクタ１０への電源電流の制御を行うことが可能となる。
【００５８】
プロジェクタ１０に電源電流が供給されたとき、すなわち、プロジェクタ１０の電源がＯＮになったときには、プロジェクタ１０の送信部１２から電動スクリーン５０の受信部６０に向けて、プロジェクタ１０に電源電流が供給された旨の信号が送信される。電動スクリーン５０は、受信部６０が当該信号を受けたのに応じて、スクリーン駆動装置５４（図示せず。）を駆動させてスクリーン面５２を繰り出し、スクリーン面５２を投写可能状態とする（図１参照。）。
【００５９】
そして、プロジェクタ１０に電源電流が供給されている間、プロジェクタ１０の送信部１２から電動スクリーン５０の受信部６０に向けて、プロジェクタ１０に電源電流が供給された旨の信号が所定の周期で送信される。電動スクリーン５０は、受信部６０が当該信号を受けたのに応じて、スクリーン面５２の投写可能状態を維持する。
【００６０】
一方、プロジェクタ１０に対して電源電流の供給が止まったとき、すなわち、プロジェクタ１０の電源がＯＮからＯＦＦに切り替わると、プロジェクタ１０の送信部１２から電動スクリーン５０の受信部６０に向けて、プロジェクタ１０に電源電流が供給された旨の信号が送信されなくなる。電動スクリーン５０は、受信部６０が当該信号を所定の期間受信しないと、スクリーン駆動装置５４（図示せず。）を駆動させてスクリーン面５２を巻き取り、スクリーン面５２を収納状態とする（図６参照。）。
【００６１】
このように、実施形態１に係る電動スクリーン５０は、電源・信号合成アダプタ１００がプロジェクタ１０に電源電流を供給しているときには投写可能状態となり、電源・信号合成アダプタ１００がプロジェクタ１０に電源電流を供給していないときには収納状態となるように構成されている。
【００６２】
ここで、実施形態１に係るプロジェクションシステム１をさらに詳細に説明するにあたり、実施形態１の比較例に係るプロジェクションシステム９を説明する。
図７は、実施形態１の比較例に係るプロジェクションシステム９の概念図である。
【００６３】
実施形態１の比較例に係るプロジェクションシステム９は、図７に示すように、実施形態１に係るプロジェクションシステム１とは、「プロジェクタ９１０を用いて画像出力装置９３０からのＡＶ信号を画像光として電動スクリーン９５０に投写するように構成されたプロジェクションシステムである」点では共通しているが、「電源・信号合成アダプタ１００及び電源・信号分離アダプタ１２０を使用せず、画像出力装置９３０とプロジェクタ９１０とをＡＶケーブル９３６で接続している」点で、実施形態１に係るプロジェクションシステム９とは異なる。
【００６４】
このため、比較例に係るプロジェクションシステム９のようにしてシステムを構築した場合、画像出力装置９３０とプロジェクタ９１０との距離が長くなれば長くなるほどＡＶケーブル９３６の長さも長くなってしまい、システムを構築する際のコストが高くなってしまう。
【００６５】
これに対し、実施形態１に係る電源・信号合成アダプタ１００を用いてシステムを構築した場合、電源・信号合成アダプタ１００を画像出力装置３０の傍に配置することによって、ＡＶケーブル３６の長さを比較的短くすることが可能となる。また、電源・信号合成アダプタ１００とプロジェクタ１０とはＡＶケーブルではなく電源ケーブル４０で接続されているため、画像出力装置３０とプロジェクタ１０との距離が長くなったとしても、画像出力装置３０とプロジェクタ１０とを繋ぐ電源ケーブル４０の長さが長くなるだけで、画像出力装置３０と電源・信号合成アダプタ１００とを繋ぐＡＶケーブル３６の長さが長くなることはない。このため、システムを構築する際のコストを低減することが可能となる。
【００６６】
ところで、比較例に係るプロジェクションシステム９のようにしてシステムを構築した場合、図７に示すように、画像出力装置９３０及びプロジェクタ９１０の電源のＯＮ／ＯＦＦ操作をそれぞれ別々のリモコン（画像出力装置用のリモコン９７０及びプロジェクタ用のリモコン９７２）で行う必要がある。このため、２つのリモコンを使い分けなければならず、使い勝手がよくない。
【００６７】
これに対し、実施形態１に係る電源・信号合成アダプタ１００を用いてシステムを構築した場合、ＡＶ信号検出部１１０がＡＶ信号を検出したか否かによって、第１の電源出力端子１０８に対してＡＶ信号が重畳された電源電流を出力したり当該出力を停止したりするため、画像出力装置用のリモコン７０で画像出力装置３０の電源をＯＮ／ＯＦＦすることに連動して、プロジェクタ１０への電源電流の制御を行うことが可能となる。すなわち、画像出力装置３０及びプロジェクタ１０の電源のＯＮ／ＯＦＦ操作を１つのリモコンで行うことができ、使い勝手を向上することが可能となる。
【００６８】
上述した電源・信号合成アダプタ１００を使用することにより、プロジェクタ１０に対してはＡＶ信号が重畳された電源電流が供給されるが、実施形態１に係る電源・信号分離アダプタ１２０によれば、ＡＶ信号分離部１２４を備えているため、そのようなＡＶ信号が重畳された電源電流からＡＶ信号を分離することが可能となる。このため、プロジェクタとしてＡＶ信号分離部を備えていないタイプのプロジェクタ１０を用いた場合であっても、画像出力装置３０からのＡＶ信号を画像光としてスクリーン面５２に投写することが可能となる。
【００６９】
上述した電源・信号合成アダプタ１００を使用することにより、画像出力装置用のリモコン７０で画像出力装置３０の電源をＯＮ／ＯＦＦすることに連動して、プロジェクタ１０への電源電流の制御を行うことが可能となるが、実施形態１に係る電動スクリーン５０によれば、電源・信号合成アダプタ１００がプロジェクタ１０に電源電流を供給しているか否かによって、電動スクリーン５０の状態を変えるように構成されているため、画像出力装置用のリモコン７０で画像出力装置３０の電源をＯＮ／ＯＦＦすることに連動して、プロジェクタ１０への電源電流の制御を行うだけでなく、電動スクリーン５０の状態も変えることが可能となり、使い勝手をさらに向上することが可能となる。
【００７０】
［実施形態２］
実施形態２は、本発明の電源・信号合成アダプタ、プロジェクタ及び電動スクリーンを備えるプロジェクションシステムを説明するための実施形態である。
【００７１】
図８は、実施形態２に係るプロジェクションシステム２の概念図である。図９は、実施形態２に係るプロジェクタ２１０を説明するために示すブロック図である。なお、図８において、図１と同一の部材については同一の符号を付し、詳細な説明は省略する。
【００７２】
実施形態２に係るプロジェクションシステム２は、基本的には実施形態１に係るプロジェクションシステム１とよく似た構成を有するが、電源・信号分離アダプタを備えておらず、その代わりに構成の異なるプロジェクタを備えている点で、実施形態１に係るプロジェクションシステム１とは異なる。
【００７３】
すなわち、実施形態２に係るプロジェクションシステム２においては、プロジェクタ２１０は、図８及び図９に示すように、電源・信号合成アダプタ１００とともに使用可能なプロジェクタであって、プロジェクタ２１０に対して電源電流が供給されたときに電動スクリーン５０に対してその旨の信号を送信する送信部２１２と、電源・信号合成アダプタ１００からのＡＶ信号が重畳された電源電流からＡＶ信号を分離するＡＶ信号分離部２２０と、ＡＶ信号分離部２２０で分離されたＡＶ信号を画像情報に変換処理する画像処理部２２２と、ＡＶ信号分離部２２０で分離された電源電流が供給される電源部２２４と、照明装置（図示せず。）と、電気光学変調装置（図示せず。）と、投写光学系（図示せず。）とを備える。
【００７４】
このように、実施形態２に係るプロジェクションシステム２は、実施形態１に係るプロジェクションシステム１とは、電源・信号分離アダプタを備えておらず、その代わりに構成の異なるプロジェクタを備えている点で異なるが、実施形態１に係るプロジェクションシステム１の場合と同様に、電源・信号合成アダプタ１００を用いてシステムを構築しているため、システムを構築する際のコストを低減することが可能となる。
【００７５】
上述した電源・信号合成アダプタ１００を使用することにより、プロジェクタ２１０に対してはＡＶ信号が重畳された電源電流が供給されるが、実施形態２に係るプロジェクタ２１０によれば、ＡＶ信号分離部２２０を備えているため、そのようなＡＶ信号が重畳された電源電流からＡＶ信号を分離することができ、画像出力装置３０からのＡＶ信号を画像光としてスクリーン面５２に投写することが可能となる。
【００７６】
なお、実施形態２に係るプロジェクションシステム２においては、図８に示すように、プロジェクタ２１０の電源ケーブル２１４を延長させ、電源ケーブル２１４の電源プラグ２１６を電源・信号合成アダプタ１００に接続させているが、本発明はこれに限定されるものではない。プロジェクタ２１０の電源ケーブル２１４とは別の電源ケーブル（他の電源ケーブル）を用意して、当該他の電源ケーブルを介してプロジェクタ２１０と電源・信号合成アダプタ１００とを接続してもよい。
【００７７】
［実施形態３］
実施形態３は、本発明の電源・信号合成アダプタ、電源・信号分離アダプタ及び電動スクリーンを備えるプロジェクションシステムを説明するための実施形態である。
【００７８】
図１０は、実施形態３に係るプロジェクションシステム３の概念図である。図１１は、実施形態３に係る電源・信号合成アダプタ３００を説明するために示すブロック図である。なお、図１０において、図１と同一の部材については同一の符号を付し、詳細な説明は省略する。
【００７９】
実施形態３に係るプロジェクションシステム３は、基本的には実施形態１に係るプロジェクションシステム１とよく似た構成を有するが、電源・信号合成アダプタ、電動スクリーン及びプロジェクタの構成並びにオーディオアンプ及びスピーカーをさらに備える点で、実施形態１に係るプロジェクションシステム１とは異なる。
【００８０】
すなわち、実施形態３に係るプロジェクションシステム３における電源・信号合成アダプタ３００は、図１１に示すように、電源プラグ３０２と、画像出力装置３０からのＡＶ信号が入力されるＡＶ入力端子３０４と、電源プラグ３０２からの電源電流にＡＶ入力端子３０４に入力されたＡＶ信号を重畳するＡＶ信号重畳部３０６と、ＡＶ信号重畳部３０６によってＡＶ信号が重畳された電源電流をプロジェクタ３２０に向けて出力する第１の電源出力端子３０８と、電源プラグ３０２からの電源電流を電動スクリーン３５０に向けて出力する第２の電源出力端子３１４と、電源プラグ３０２からの電源電流をオーディオアンプ３８０に向けて出力する第２の電源出力端子３１６と、画像出力装置３０から出力されるＡＶ信号の有無を検出するＡＶ信号検出部３１０と、制御部３１２とを備える。
【００８１】
制御部３１２は、ＡＶ信号検出部３１０がＡＶ信号を検出したときには、第１の電源出力端子３０８に対してＡＶ信号重畳部３０６によってＡＶ信号が重畳された電源電流を出力し、第２の電源出力端子３１４に対して電源プラグ３０２からの電源電流（ＡＶ信号が重畳されていない電源電流）を出力し、第２の電源出力端子３１６に対して電源プラグ３０２からの電源電流（ＡＶ信号が重畳されていない電源電流）を出力し、ＡＶ信号検出部３１０がＡＶ信号を検出しないときには、第１の電源出力端子３０８に対する電源プラグ３０２からの電源電流の出力を停止し、第２の電源出力端子３１６に対する電源プラグ３０２からの電源電流の出力を停止する機能を有する。
【００８２】
また、制御部３１２は、ＡＶ信号の入力が途絶したときには、当該途絶した時間から所定時間の間は第２の電源出力端子３１４に対して電源プラグ３０２からの電源電流（ＡＶ信号が重畳されていない電源電流）を出力し、所定時間経過後には第２の電源出力端子３１４に対する電源プラグ３０２からの電源電流（ＡＶ信号が重畳されていない電源電流）の出力を停止する機能をさらに有する。当該所定時間としては、例えば、電動スクリーン３５０の巻上げが完了するのに要する時間を設定することができる。
【００８３】
また、制御部３１２は、ＡＶ信号検出部３１０がＡＶ信号を検出したときには、電動スクリーン３５０に対してスクリーン面３５２を投写可能状態とする旨の信号を出力し、ＡＶ信号検出部３１０がＡＶ信号を検出しないときには、電動スクリーン３５０に対してスクリーン面３５２を収納状態とする旨の信号を出力する機能をさらに有する。
【００８４】
電動スクリーン３５０は、プロジェクタ３２０からの画像光が投写されるスクリーン面３５２と、スクリーン面３５２の繰り出し・巻き取りを行うスクリーン駆動装置３５４（図示せず。）と、電源・信号合成アダプタ３００からの電源電流をスクリーン駆動装置３５４に供給するための電源ケーブル３５６及び電源プラグ３５８とを備える。電源プラグ３５８は、コンセントＢの差し込み口ではなく、電源・信号合成アダプタ３００の電源出力端子３１４に接続されている。
【００８５】
電動スクリーン３５０は、電源・信号合成アダプタ３００の制御部３１２からスクリーン面３５２を投写可能状態とする旨の信号を受けたときには、スクリーン駆動装置３５４（図示せず。）を駆動させてスクリーン面３５２を繰り出し、スクリーン面３５２を投写可能状態とする。一方、電源・信号合成アダプタ３００の制御部３１２からスクリーン面３５２を収納状態とする旨の信号を受けたときには、スクリーン駆動装置３５４を駆動させてスクリーン面３５２を巻き取り、スクリーン面３５２を収納状態とする。
【００８６】
プロジェクタ３２０は、基本的には実施形態１に係るプロジェクタ１０と同じ構成を有するが、プロジェクタに対して電源電流が供給されたときに電動スクリーンに対してその旨の信号を送信する送信部が配設されていない点で、プロジェクタ１０とは異なる。なお、プロジェクタ３２０の構成についての詳細な説明は省略する。
【００８７】
画像出力装置用のリモコン７０で画像出力装置３０の電源をＯＮにすると、画像出力装置３０からＡＶ信号が出力される。画像出力装置３０から出力されたＡＶ信号は、電源・信号合成アダプタ３００におけるＡＶ信号重畳部３０６で電源電流に重畳され、ＡＶ信号が重畳された電源電流として第１の電源出力端子３０８から出力される。電源・信号合成アダプタ３００から出力された電源電流（ＡＶ信号が重畳された電源電流）は、電源ケーブル４０を通り、電源・信号分離アダプタ１２０でＡＶ信号と電源電流とに分離され、それぞれプロジェクタ３２０に入力される。
【００８８】
この場合において、電源・信号合成アダプタ３００のＡＶ信号検出部３１０でＡＶ信号が検出されることにより、第２の電源出力端子３１４からは、電源プラグ３０２からの電源電流（ＡＶ信号が重畳されていない電源電流）が出力される。電源・信号合成アダプタ３００から出力された電源電流（ＡＶ信号が重畳されていない電源電流）は、電源ケーブル３５６を通り、電動スクリーン３５０に入力される。これにより、電動スクリーン３５０は、投写可能状態となる。
【００８９】
また、電源・信号合成アダプタ３００のＡＶ信号検出部３１０でＡＶ信号が検出されることにより、第２の電源出力端子３１６からは、電源プラグ３０２からの電源電流（ＡＶ信号が重畳されていない電源電流）が出力される。電源・信号合成アダプタ３００から出力された電源電流（ＡＶ信号が重畳されていない電源電流）は、電源ケーブル３８２を通り、オーディオアンプ３８０に入力される。また、画像出力装置３０から出力されたＡＶ信号は、ＡＶケーブル３８６を介してオーディオアンプ３８０で増幅された後、接続ケーブル３８８ａ，３８８ｂを介してスピーカー３９０ａ，３９０ｂによって音声変換されて出力される。
【００９０】
一方、画像出力装置用のリモコン７０で画像出力装置３０の電源をＯＦＦにすると、画像出力装置３０からのＡＶ信号の出力が停止される。電源・信号合成アダプタ３００のＡＶ信号検出部３１０において画像出力装置３０からのＡＶ信号の出力が無いことを確認すると、制御部３１２は、プロジェクタ３２０及びオーディオアンプ３８０に対する電源プラグ３０２からの電源電流の出力を停止する。これにより、電源・信号合成アダプタ３００からの電源電流の出力が停止するため、プロジェクタ３２０の電源がＯＦＦとなるとともに、オーディオアンプ３８０の電源がＯＦＦとなる。
【００９１】
また、画像出力装置３０からのＡＶ信号の出力が停止され、画像出力装置３０からのＡＶ信号の入力が途絶したことを制御部３１２が確認すると、第２の電源出力端子３１４からは、当該途絶した時間から所定時間の間、電動スクリーン３５０に対して電源プラグ３０２からの電源電流（ＡＶ信号が重畳されていない電源電流）が出力され、電源ケーブル３５６を通り、電動スクリーン３５０に入力される。これにより、電動スクリーン３５０が巻き上がり、電動スクリーン３５０が収納状態となる。そして、当該所定時間が経過した後、制御部３１２は、電動スクリーン３５０に対する電源プラグ３０２からの電源電流の出力を停止する。
【００９２】
このように、画像出力装置用のリモコン７０で画像出力装置３０の電源をＯＮ／ＯＦＦすることに連動して、プロジェクタ３２０及びオーディオアンプ３８０の電源をＯＮ／ＯＦＦすることが可能となるだけでなく、電動スクリーン３５０の状態も変えることが可能となる。
【００９３】
以上、実施形態３に係るプロジェクションシステム３は、実施形態１に係るプロジェクションシステム１とは、電源・信号合成アダプタの構成、電動スクリーンの構成及びプロジェクタの構成並びにオーディオアンプ及びスピーカーをさらに備える点で異なるが、実施形態１に係るプロジェクションシステム１の場合と同様に、電源・信号合成アダプタ３００を用いてシステムを構築しているため、システムを構築する際のコストを低減することが可能となる。
【００９４】
また、上述した電源・信号合成アダプタ３００を使用することにより、画像出力装置用のリモコン７０で画像出力装置３０の電源をＯＮ／ＯＦＦすることに連動して、プロジェクタ３２０の電源をＯＮ／ＯＦＦすることが可能となるが、実施形態３に係る電動スクリーン３５０によれば、電源・信号合成アダプタ３００がプロジェクタ３２０に電源電流を供給しているか否かによって、電動スクリーン３５０の状態を変えるように構成されているため、画像出力装置用のリモコン７０で画像出力装置３０の電源をＯＮ／ＯＦＦすることに連動して、プロジェクタ３２０の電源をＯＮ／ＯＦＦするだけでなく、電動スクリーン３５０の状態も変えることが可能となり、使い勝手をさらに向上することが可能となる。
【００９５】
実施形態３に係る電源・信号合成アダプタ３００においては、電源プラグ３０２からの電源電流を出力する第２の電源出力端子３１４，３１６をさらに備えるため、電動スクリーン３５０及びオーディオアンプ３８０に対しても電源電流（ＡＶ信号が重畳されていない電源電流）を出力することが可能となる。
【００９６】
実施形態３に係る電源・信号合成アダプタ３００においては、上述したように、ＡＶ信号検出部３１０がＡＶ信号を検出したか否かによって、第２の電源出力端子３１４，３１６に対して電源電流を出力したり当該出力を停止したりするため、画像出力装置用のリモコン７０で画像出力装置３０の電源をＯＮ／ＯＦＦすることに連動して、電動スクリーン３５０及びオーディオアンプ３８０への電源電流の制御を行うことが可能となる。すなわち、画像出力装置３０及び電動スクリーン３５０及びオーディオアンプ３８０の電源のＯＮ／ＯＦＦ操作を１つのリモコンで行うことができ、使い勝手を向上することが可能となる。
【００９７】
実施形態３に係る電源・信号合成アダプタ３００においては、上述したように、ＡＶ信号の入力が途絶してから所定時間の間に限り、第２の電源出力端子３１４に対して電源電流を出力することが可能となるため、電動スクリーン３５０に当該所定時間の間だけ電源電流を供給することが可能となる。
【００９８】
実施形態３に係る電源・信号合成アダプタ３００においては、第２の電源出力端子を複数備えるため、第２の電源出力端子に接続された複数の機器（実施形態３では電動スクリーン３５０及びオーディオアンプ３８０）に対して電源電流（ＡＶ信号が重畳されていない電源電流）を出力することが可能となる。
【００９９】
［実施形態４］
実施形態４は、本発明の電源制御アダプタを備えるプロジェクションシステムを説明するための実施形態である。
【０１００】
図１２は、実施形態４に係るプロジェクションシステム４の概念図である。図１３は、実施形態４に係る電源制御アダプタ１４０を説明するために示す斜視図である。図１３（ａ）は電源制御アダプタ１４０の斜視図であり、図１３（ｂ）は図１３（ａ）とは異なる角度から見たときの電源制御アダプタ１４０の斜視図である。図１４は、実施形態４に係る電源制御アダプタ１４０を説明するために示すブロック図である。なお、図１２において、図１と同一の部材については同一の符号を付し、詳細な説明は省略する。
【０１０１】
実施形態４に係るプロジェクションシステム４は、プロジェクタ１０を用いて画像出力装置３０からのＡＶ信号を画像光として電動スクリーン５０に投写するように構成されたプロジェクションシステムであって、図１２に示すように、プロジェクタ１０と、画像出力装置３０と、電動スクリーン５０と、画像出力装置３０からのＡＶ信号を検出してプロジェクタ１０への電源電流を制御する電源制御アダプタ１４０とを備える。
【０１０２】
なお、プロジェクタ１０、画像出力装置３０及び電動スクリーン５０は、実施形態１で説明したものと同じであるため、説明を省略する。
【０１０３】
電源制御アダプタ１４０は、画像出力装置３０からのＡＶ信号を検出してプロジェクタ１０への電源電流を制御するための装置であり、図１３及び図１４に示すように、電源プラグ１４２と、画像出力装置３０からのＡＶ信号が入力されるＡＶ入力端子１４４と、画像出力装置３０から出力されるＡＶ信号の有無を検出するＡＶ信号検出部１５０と、電源出力端子１４８と、制御部１５２とを備える。
【０１０４】
制御部１５２は、ＡＶ信号検出部１５０がＡＶ信号を検出したときには、電源出力端子１４８に対して電源プラグ１４２からの電源電流を出力し、ＡＶ信号検出部１５０がＡＶ信号を検出しないときには、電源出力端子１４８に対する電源プラグ１４２からの電源電流の出力を停止する機能を有する。
【０１０５】
電源制御アダプタ１４０を用いてプロジェクションシステム４を構築するにあたっては、以下に示すようにして各装置を接続する。
【０１０６】
まず、図１２に示すように、画像出力装置３０の電源プラグ３４を、画像出力装置３０の傍にあるコンセントＡに差し込み、電源制御アダプタ１４０の電源プラグ１４２（図１４参照。）を同じくコンセントＡに差し込む。また、電源制御アダプタ１４０のＡＶ入力端子１４４（図１４参照。）に、画像出力装置３０のＡＶケーブル３６（ＡＶ出力端子３８）を接続する。これにより、画像出力装置３０と電源制御アダプタ１４０とがＡＶケーブル３８を介して接続されることとなる。
【０１０７】
次に、電源制御アダプタ１４０の電源出力端子１４８（図１４参照。）に、プロジェクタ１０の電源ケーブル４１４の電源プラグ４１６を接続することにより、プロジェクタ１０と電源制御アダプタ１４０とが電源ケーブル４１４を介して接続されることとなる。
なお、実施形態４に係る電源制御アダプタ１４０を用いてシステムを構築する場合、電源制御アダプタ１４０からプロジェクタ１０に対してＡＶ信号は出力されないため、画像出力装置３０とプロジェクタ１０とをＡＶケーブル４１８で接続する必要がある。
【０１０８】
画像出力装置用のリモコン７０で画像出力装置３０の電源をＯＮにすると（図１２参照。）、画像出力装置３０からＡＶ信号が出力される。画像出力装置３０から出力されたＡＶ信号は、電源制御アダプタ１４０におけるＡＶ入力端子１４４に入力される（図１４参照。）。そして、ＡＶ信号検出部１５０によってＡＶ信号が検出されると、制御部１５２の機能によって、電源制御アダプタ１４０からプロジェクタ１０に対して電源電流（ＡＶ信号が重畳されていない電源電流）が出力される。
【０１０９】
一方、画像出力装置用のリモコン７０で画像出力装置３０の電源をＯＦＦにすると、画像出力装置３０からのＡＶ信号の出力が停止される。電源制御アダプタ１４０のＡＶ信号検出部１１０において画像出力装置３０からのＡＶ信号の出力が無いことを確認すると、制御部１５２は、電源プラグ１４２からの電源電流の出力を停止する。これにより、プロジェクタ１０に対して、電源制御アダプタ１４０からの電源電流の出力が停止する。
【０１１０】
このように、画像出力装置用のリモコン７０で画像出力装置３０の電源をＯＮ／ＯＦＦすることに連動して、プロジェクタ１０への電源電流の制御を行うことが可能となる。
【０１１１】
実施形態４に係る電源制御アダプタ１４０を用いてシステムを構築した場合、ＡＶ信号検出部１５０がＡＶ信号を検出したか否かによって、電源出力端子１４８に対して電源電流を出力したり当該出力を停止したりするため、画像出力装置用のリモコン７０で画像出力装置３０の電源をＯＮ／ＯＦＦすることに連動して、プロジェクタ１０への電源電流の制御を行うことが可能となる。すなわち、画像出力装置３０及びプロジェクタ１０の電源のＯＮ／ＯＦＦ操作を１つのリモコンで行うことができ、使い勝手を向上することが可能となる。
【０１１２】
以上、本発明の電源・信号合成アダプタ、プロジェクタ、電源・信号分離アダプタ、電動スクリーン及び電源制御アダプタを上記の各実施形態に基づいて説明したが、本発明は上記の各実施形態に限定されるものではなく、その要旨を逸脱しない範囲において種々の態様において実施することが可能であり、例えば次のような変形も可能である。
【０１１３】
（１）上記各実施形態１〜４に係るプロジェクションシステム１〜４は、天吊りタイプのプロジェクタ１０，２１０，３２０を用いて構築されたシステムであるが、本発明はこれに限定されるものではない。据え置きタイプのプロジェクタを用いて構築されたシステムにも、本発明を適用することができる。
【０１１４】
（２）上記各実施形態１〜３に係る電源・信号合成アダプタ１００，３００においては、ＡＶ入力端子が１つである場合を例示して説明したが、本発明はこれに限定されるものではなく、ＡＶ入力端子が複数あってもよい。
【図面の簡単な説明】
【０１１５】
【図１】電動スクリーン５０が投写可能状態である場合の、実施形態１に係るプロジェクションシステム１の概念図。
【図２】実施形態１に係る電源・信号合成アダプタ１００を説明するために示す斜視図。
【図３】実施形態１に係る電源・信号合成アダプタ１００を説明するために示すブロック図。
【図４】実施形態１に係る電源・信号分離アダプタ１２０を説明するために示す斜視図。
【図５】実施形態１に係る電源・信号分離アダプタ１２０を説明するために示すブロック図。
【図６】電動スクリーン５０が収納状態である場合の、実施形態１に係るプロジェクションシステム１の概念図。
【図７】実施形態１の比較例に係るプロジェクションシステム９の概念図。
【図８】実施形態２に係るプロジェクションシステム２の概念図。
【図９】実施形態２に係るプロジェクタ２１０を説明するために示すブロック図。
【図１０】実施形態３に係るプロジェクションシステム３の概念図。
【図１１】実施形態３に係る電源・信号合成アダプタ３００を説明するために示すブロック図。
【図１２】実施形態４に係るプロジェクションシステム４の概念図。
【図１３】実施形態４に係る電源制御アダプタ１４０を説明するために示す斜視図。
【図１４】実施形態４に係る電源制御アダプタ１４０を説明するために示すブロック図。
【符号の説明】
【０１１６】
１，２，３，４，９…プロジェクションシステム、１０，２１０，３２０，９１０…プロジェクタ、１２，２１２…送信部、１４，２１４，３２４，４１４，９１４…電源ケーブル、１６，２１６，３２６，４１６，９１６…電源プラグ、１８，３２８，４１８…ＡＶケーブル、２０，３３０…ＡＶ入力端子、３０，９３０…画像出力装置、３２，９３２…電源ケーブル、３４，９３４…電源プラグ、３６，９３６…ＡＶケーブル、３８…ＡＶ出力端子、４０…電源ケーブル、４２…電源プラグ、４４…電源出力端子、５０，３５０，９５０…電動スクリーン、５２，３５２，９５２…スクリーン面、５６，３５６，９５６…電源ケーブル、５８，３５８，９５８…電源プラグ、６０…受信部、７０，９７０…画像出力装置用のリモコン、１００，３００…電源・信号合成アダプタ、１０２，３０２…電源プラグ、１０４，３０４…ＡＶ入力端子、１０６，３０６…ＡＶ信号重畳部、１０８，３０８…第１の電源出力端子、１１０，３１０…ＡＶ信号検出部、１１２，３１２…制御部、１２０…電源・信号分離アダプタ、１２２…電源プラグ、１２４…ＡＶ信号分離部、１２６…ＡＶ出力端子、１２８…電源出力端子、１４０…電源制御アダプタ、１４２…電源プラグ、１４４…ＡＶ入力端子、１４８…電源出力端子、１５０…ＡＶ信号検出部、１５２…制御部、２２０…ＡＶ信号分離部、２２２…画像処理部、２２４…電源部、９７２…プロジェクタ用のリモコン、３１４，３１６…第２の電源出力端子、３８０…オーディオアンプ、３８２…電源ケーブル、３８４…電源プラグ、３８６…ＡＶケーブル、３８８ａ，３８８ｂ…接続ケーブル、３９０ａ，３９０ｂ…スピーカー、Ａ，Ｂ…コンセント
【図１】
2008193552.tif 000003
【図３】
2008193552.tif 000004
【図５】
2008193552.tif 000005
【図６】
2008193552.tif 000006
【図７】
2008193552.tif 000007
【図８】
2008193552.tif 000008
【図９】
2008193552.tif 000009
【図１０】
2008193552.tif 000010
【図１１】
2008193552.tif 000011
【図１２】
2008193552.tif 000012
【図１４】
2008193552.tif 000013
【図２】
2008193552.tif 000014
【図４】
2008193552.tif 000015
【図１３】
2008193552.tif 000016